(57)【要約】【課題】設定時の利便性及び能率性を高めるとともに、誤設定を回避して設定を確実に行えるようにする。【解決手段】タッチパネル３を付設したディスプレイ２を備えるとともに、成形機の動作条件の設定に係わる設定画面Ｖａ…上に、動作条件を設定するためのテンキーＫｔをウィンドウ表示する表示機能を有する射出成形機Ｍの表示装置１を構成するに際して、動作条件を設定するための少なくともテンキーＫｔを含む設定支援ボード４をウィンドウ表示する設定支援ボード表示機能Ｆ１と、この設定支援ボード４の表示位置を任意の表示位置Ｘｎに変更可能な表示位置変更機能Ｆ２と、変更後の表示位置を、設定画面Ｖａ…における設定を行うための設定キーＫｉ…に対応させて記憶する表示位置記憶機能Ｆ３を備える。【選択図】図１
2004155073.tif 000002
【特許請求の範囲】
【請求項１】
タッチパネルを付設したディスプレイを備えるとともに、成形機の動作条件の設定に係わる設定画面上に、前記動作条件を設定するためのテンキーをウィンドウ表示する表示機能を有する射出成形機の表示装置において、前記動作条件を設定するための少なくとも前記テンキーを含む設定支援ボードをウィンドウ表示する設定支援ボード表示機能と、前記設定支援ボードの表示位置を任意の表示位置に変更可能な表示位置変更機能と、変更後の表示位置を、前記設定画面における設定を行うための設定キーに対応させて記憶する表示位置記憶機能を備えることを特徴とする射出成形機の表示装置。
【請求項２】
前記設定支援ボードには、前記テンキーに加え、ファンクションキー，設定値を表示する確認表示部，設定範囲を表示する設定範囲表示部，設定項目を表示する設定項目表示部の一又は二以上を有することを特徴とする請求項１記載の射出成形機の表示装置。
【請求項３】
前記設定項目表示部は、少なくとも設定値が前記設定範囲を外れた際にその旨のエラー表示を行うエラー表示部を兼用することを特徴とする請求項２記載の射出成形機の表示装置。
【請求項４】
前記設定支援ボードは、前記設定キーがタッチされた際に自動で表示されることを特徴とする請求項１記載の射出成形機の表示装置。
【請求項５】
前記設定支援ボードの表示位置は、前記設定キーに対応させた所定の標準位置に予め初期設定することを特徴とする請求項１記載の射出成形機の表示装置。
【発明の詳細な説明】
【０００１】
【発明の属する技術分野】
本発明は、動作条件を設定するためのテンキーをウィンドウ表示する表示機能を備える射出成形機の表示装置に関する。
【０００２】
【従来の技術】
従来、成形機の動作条件の設定に係わる設定画面上に、動作条件を設定するためのテンキーをウィンドウ表示する表示機能を有する射出成形機の表示装置としては、特開平５−８２７４号公報で開示される成形機の入力装置や特開平９−２４４８１１号公報で開示されるタッチパネルを用いたタッチ入力表示装置等が知られている。
【０００３】
ところで、一般に、射出成形機には、圧力，速度，位置及び温度等に対する各種の設定項目（設定画面）が数多く存在する。このため、従来の表示装置では、通常はテンキーを非表示とし、必要となる設定時のみ、動作条件の設定に係わる設定画面上の隅部にウィンドウ表示していた。
【特許文献１】
特開平５−８２７４号公報
【特許文献２】
特開平９−２４４８１１号公報
【０００４】
【発明が解決しようとする課題】
しかし、上述した射出成形機に備える従来の表示装置は、次のような解決すべき課題が存在した。
【０００５】
第一に、ディスプレイには、圧力，速度，位置及び温度等に対応した多数の設定画面が切換表示されるが、テンキーのウィンドウは、各設定画面における隅部の定位置に固定された状態で表示されるため、設定画面の一部が隠れてしまう。この場合、ユーザにとって隠れた部分のデータ表示が比較的重要な場合もあるが、そのデータ表示を見るには、一旦、ウィンドウを閉じなければならないなど、設定時の利便性及び能率性に難がある。
【０００６】
第二に、テンキーのウィンドウは、通常、電卓を模して構成するため、基本的には数値の入力機能が確保されているのみであり、設定の確実性の確保（誤設定の回避）という観点からは十分と言えない。
【０００７】
本発明は、このような従来の技術に存在する課題を解決したものであり、設定時の利便性及び能率性を高めるとともに、誤設定を回避して設定を確実に行うことができる射出成形機の表示装置の提供を目的とする。
【０００８】
【課題を解決するための手段及び実施の形態】
本発明は、タッチパネル３を付設したディスプレイ２を備えるとともに、成形機の動作条件の設定に係わる設定画面Ｖａ…上に、動作条件を設定するためのテンキーＫｔをウィンドウ表示する表示機能を有する射出成形機Ｍの表示装置１を構成するに際して、動作条件を設定するための少なくともテンキーＫｔを含む設定支援ボード４をウィンドウ表示する設定支援ボード表示機能Ｆ１と、この設定支援ボード４の表示位置を任意の表示位置Ｘｎに変更可能な表示位置変更機能Ｆ２と、変更後の表示位置Ｘｎを、設定画面Ｖａ…における設定を行うための設定キーＫｉ…に対応させて記憶する表示位置記憶機能Ｆ３を備えることを特徴とする。
【０００９】
この場合、好適な実施の形態により、設定支援ボード４には、テンキーＫｔに加え、ファンクションキーＫｆ，設定値を表示する確認表示部５，設定範囲を表示する設定範囲表示部６，設定項目を表示する設定項目表示部７の一又は二以上を設けることができるとともに、設定項目表示部７には、少なくとも設定値が設定範囲を外れた際にその旨のエラー表示を行うエラー表示部７ｓを兼用させることができる。また、設定支援ボード４は、設定キーＫｉ…がタッチされた際に自動で表示させることができるとともに、設定支援ボード４の表示位置は、設定キーＫｉ…に対応させた所定の標準位置Ｘｏに予め初期設定することができる。
【００１０】
【実施例】
次に、本発明に係る好適な実施例を挙げ、図面に基づき詳細に説明する。
【００１１】
まず、本実施例に係る表示装置１の構成及びこの表示装置１を備える射出成形機Ｍの概略構成について、図３及び図４を参照して説明する。
【００１２】
図３中、仮想線で示すＭは射出成形機であり、機台Ｍｂと、この機台Ｍｂ上に設置された射出装置Ｍｉ及び型締装置Ｍｃを備える。射出装置Ｍｉは、加熱筒１０を備え、この加熱筒１０の前端に図に現れない射出ノズルを有するとともに、加熱筒１０の後部には材料を供給するホッパ１１を備える。一方、型締装置Ｍｃには可動型と固定型からなる金型１２を備える。また、機台Ｍｂ上には、起設した側面パネル１３を利用して表示装置１を配設する。この場合、表示装置１は、タッチパネル３を付設したディスプレイ２を有するディスプレイユニット２１と、このディスプレイユニット２１に接続する表示制御ユニット２２（図４）を含むため、ディスプレイユニット２１は側面パネル１３に配設するとともに、表示制御ユニット２２は機台Ｍｂに内蔵させる。
【００１３】
図４は、表示装置１の機能ブロック図を示す。表示制御ユニット２２は、図示しないＣＰＵ，ＲＯＭ，ＲＡＭ等を含むコンピュータにより構成され、ＨＭＩ（ヒューマン・マシン・インタフェース）プログラムにより機能する。このＨＭＩプログラムは、射出成形機Ｍの動作条件の設定や表示及び射出成形機Ｍの動作監視データの表示等を行うソフトウェアである。この表示制御ユニット２２には、画像表示データ処理部（制御部）２３、各種センサの検出データ，入出力情報及びアナログ情報等を書き込むプロセスデータメモリ２４、各種画像データを記憶する画像データメモリ２５、動作条件等の各種設定データを記憶する設定データメモリ２６、タッチパネル３に接続した入力処理部２７、ディスプレイ２に接続した画像メモリ２８等が含まれる。この場合、ディスプレイ２としてはカラー表示可能なカラー液晶ディスプレイを用いることができる。そして、この表示装置１により、後述する設定支援ボード表示機能Ｆ１，表示位置変更機能Ｆ２及び表示位置記憶機能Ｆ３が所定のプログラムに従って実行される。
【００１４】
次に、本実施例に係る表示装置１の機能について、図１〜図６を参照して説明する。
【００１５】
図５は、ディスプレイ２に表示された射出・計量に係る設定画面Ｖａを示す。この設定画面Ｖａにより、射出工程及び計量工程における動作条件（成形条件）を設定することができる。この設定画面Ｖａの上段と下段には、各種画面Ｖａ…を切換える画面項目毎に設けた複数の画面切換キーＫ１，Ｋ２，Ｋ３…を表示する。この画面切換キーＫ１…は、使用頻度の高さを考慮してランク分けされ、上段に、型開閉画面切換キーＫ１，エジェクタ画面切換キーＫ２，射出・計量画面切換キーＫ３，温度画面切換キーＫ４，モニタ画面切換キーＫ５，主要条件画面切換キーＫ６，条件切換画面切換キーＫ７を有する成形機の動作条件の設定に係わる第一のグループＧａを横一列に配するとともに、下段に、これ以外となる段取り画面切換キーＫ８，工程監視画面切換キーＫ９，生産情報画面切換キーＫ１０，波形画面切換キーＫ１１，統計画面切換キーＫ１２，トレンド画面切換キーＫ１３（図１参照）を有する第二のグループＧｂを横一列に配する。
【００１６】
各画面切換キーＫ１…は、設定画面Ｖａを他の画面に切換えた場合でも同様に表示される。例えば、図３は、工程監視画面切換キーＫ９を選択した場合の工程監視画面Ｖｂの概要を示すが、各画面切換キーＫ１…は、図５に示した設定画面Ｖａと同じ位置に同じ形状で表示される。なお、図５に表示される第二のグループＧｂは、第一階層が表示された状態であるが、画面右端の階層画面切換キーＫｃ（図１参照）をタッチすることにより、第二階層における履歴画面切換キー，プログラム画面切換キー，信号レコーダ画面切換キー，診断画面切換キー等が、画面切換キーＫ８〜Ｋ１３と入れ替わる形で同様に表示される。また、表示装置１は、画面切換キーＫ１…の配列をユーザサイドで任意に変更できる配列変更機能及び変更後の配列を記憶する配列記憶機能を備えている。これにより、ユーザ自身が使い勝手を考慮して画面切換キーＫ１…の配列（順番）を任意に変更することができる。このようなレイアウト表示により、各画面切換キーＫ１…に表示される名称表示を変更する場合でも、ソフトウェアにより容易に対処でき、変更に伴う工数の削減及びコストダウンを図れるとともに、各画面切換キーＫ１…に対する視認性及び操作性を高めることができる。
【００１７】
一方、表示装置１には、動作条件（成形条件）を設定するための少なくともテンキーＫｔを含む設定支援ボード４をウィンドウ表示する設定支援ボード表示機能Ｆ１を備える。図５は、射出・計量画面Ｖａ上に、設定支援ボード４が表示された場合を示している。設定支援ボード４は、テンキーＫｔ，ファンクションキーＫｆ，確認表示部５，設定範囲表示部６及び設定項目表示部７を有する。
【００１８】
この設定支援ボード４は、第一のグループＧａにおける画面切換キーＫ１…の選択によって表示される一又は二以上の画面Ｖａ…上に、所定の設定キーをタッチすることにより自動で表示される。即ち、図５に示す射出・計量画面Ｖａにおいて、任意の設定キー、例えば、射出工程に係る設定キーＫｉをタッチすれば、設定支援ボード４が自動で表示され、かつ当該設定キーＫｉは点滅状態になる。この後、具体的な設定を行う設定キー、例えば、一段目保圧力を設定する設定キーＫｐをタッチすれば、設定支援ボード４には対応する表示が行われる。
【００１９】
具体的には、設定項目表示部７に、一段目保圧力の設定である旨の「Ｐｐ１」が表示されるとともに、設定範囲表示部６には、一段目保圧力の設定範囲として「２．４−２４３．０ＭＰａ」が表示され、さらに、確認表示部５には、既に設定されている設定値が反転表示される。そして、テンキーＫｔ及びファンクションキーＫｆを用いて新しい設定値をタッチ入力すれば、確認表示部５には、入力した数値（新設定値）「１００」が非反転表示される。この後、エンタキーＫｅをタッチすれば、正規の設定処理が行われる。この際、入力した設定値が設定範囲を外れていれば、設定項目表示部７に、その旨のエラー表示が行われる。
【００２０】
図２は、この状態を示している。即ち、設定範囲表示部６に、設定範囲として「０−１００％」が表示されている状態で、誤って「２００」を入力した場合には、設定項目表示部７に、「設定上限オーバー」のエラー表示が行われる。したがって、設定項目表示部７は、設定値が設定範囲を外れた際にその旨のエラー表示を行うエラー表示部７ｓを兼用する。設定項目表示部７をこのように利用することにより、誤設定を回避して設定を確実に行うことができる。なお、設定項目表示部７には、ボタン３２，３３を利用して、設定画面Ｖａ…や設定支援ボード４の説明，さらには設定に必要な各種情報等を表示させることができ、設定支援ボード４の多機能性（多様性）を高めることができる。
【００２１】
また、表示装置１には、設定支援ボード４の表示位置を任意の表示位置Ｘｎに変更可能な表示位置変更機能Ｆ２及び変更後の表示位置Ｘｎを設定キーＫｉ…に対応させて記憶する表示位置記憶機能Ｆ３を備える。以下、設定支援ボード４の表示位置を変更する際の操作手順について、図６に示すフローチャート及び図１を参照して説明する。
【００２２】
図１において、仮想線で示す設定支援ボード４は、設定キーＫｉに対応させて予め初期設定された所定の標準位置Ｘｏ（工場出荷時）を示している。この標準位置Ｘｏは、各自身Ｖａにおいて、少なくとも設定支援ボード４を表示する自身における設定項目が隠れない適正位置が設定される。表示位置変更機能Ｆ２により、この標準位置Ｘｏをユーザ自身が望む任意の表示位置Ｘｎに変更することができる。変更する際には、まず、設定支援ボード４の上端におけるタイトルバー３１を指先Ｈでタッチする（ステップＳ１）。そして、タッチしたままの状態で指先Ｈを移動させる（ステップＳ２）。この際、指先Ｈの移動に追従して設定支援ボード４の表示位置も移動する。図１は、設定支援ボード４を矢印Ｄｓ方向へ移動させた場合を示している。設定支援ボード４を変更したい表示位置Ｘｎまで移動させたなら、その表示位置Ｘｎで移動を止め、指先Ｈによるタッチを解除すればよい（ステップＳ３，Ｓ４）。これにより、設定支援ボード４は、変更後の表示位置Ｘｎに表示されるとともに、変更後の表示位置Ｘｎは、設定支援ボード４を表示させる最初の設定キーＫｉに対応させて画像データメモリ２５に記憶される（ステップＳ５）。したがって、以後、設定画面Ｖａを開き、設定キーＫｉをタッチした際には、変更後の表示位置Ｘｎに設定支援ボード４が表示される。このような変更は、設定支援ボード４を表示させる各設定キーＫｉ…毎に行うことができるため、ユーザは各画面Ｖｂ…毎に自分にとって最適な表示位置Ｘｎを設定することができる。この場合、基本的には、設定支援ボード４を表示させる最初の設定キーＫｉに対応させて表示位置Ｘｎを記憶させるが、設定キーＫｉの次にタッチする設定キーＫｐに対しても設定支援ボード４の表示位置を変更し、この設定キーＫｐに対応させて変更後の表示位置を記憶させることもできる。よって、ユーザにとって重要度の高いデータ表示が隠れ、そのデータ表示を確認する都度、ウィンドウを閉じなければならない煩わしさは解消され、設定時の利便性及び能率性を高めることができる。
【００２３】
以上、実施例について詳細に説明したが、本発明はこのような実施例に限定されるものではなく、細部の構成，配置，数量，手法等において、本発明の要旨を逸脱しない範囲で任意に変更，追加，削除することができる。例えば、設定支援ボード４には、テンキーＫｔに加え、ファンクションキーＫｆ，確認表示部５，設定範囲表示部６及び設定項目表示部７を設けた場合を示したが、さらに、他の表示部を追加してもよいし、必要によりファンクションキーＫｆ，確認表示部５，設定範囲表示部６，設定項目表示部７のいずれか一又は二以上を選択して設けてもよい。なお、ディスプレイ２として液晶ディスプレイを例示したが、ＣＲＴやプラズマディスプレイ等の各種ディスプレイを適用できる。
【００２４】
【発明の効果】
このように、本発明に係る射出成形機の表示装置は、動作条件を設定するための少なくともテンキーを含む設定支援ボードをウィンドウ表示する設定支援ボード表示機能と、この設定支援ボードの表示位置を任意の表示位置に変更可能な表示位置変更機能と、変更後の表示位置を、設定画面における設定を行うための設定キーに対応させて記憶する表示位置記憶機能を備えるため、次のような顕著な効果を奏する。
【００２５】
（１）  設定支援ボードをユーザにとって最適な表示位置に設定できるため、例えば、ユーザにとって重要度の高いデータ表示が隠れてしまうなどの不具合を解消でき、設定時の利便性及び能率性を高めることができる。
【００２６】
（２）  好適な実施の形態により、設定支援ボードに、テンキーに加え、ファンクションキー，確認表示部，設定範囲表示部，設定項目表示部の一又は二以上を設ければ、誤設定を回避して設定を確実に行うことができるとともに、設定支援ボードの多機能性（多様性）を高めることができる。
【図面の簡単な説明】
【図１】本発明の好適な実施例に係る表示装置における表示位置変更機能の説明図、
【図２】同表示装置における設定支援ボードの画面図、
【図３】同表示装置を備える射出成形機の概要図、
【図４】同表示装置の機能ブロック図、
【図５】同表示装置におけるディスプレイの画面図、
【図６】同表示装置における設定支援ボードの表示位置を変更する際の操作手順を説明するためのフローチャート、
【符号の説明】
１      表示装置
２      ディスプレイ
３      タッチパネル
４      設定支援ボード
５      確認表示部
６      設定範囲表示部
７      設定項目表示部
７ｓ    エラー表示部
Ｍ      射出成形機
Ｖａ…  設定画面
Ｋｔ    テンキー
Ｋｆ    ファンクションキー
Ｋｉ    設定キー
Ｘｎ    任意の表示位置
Ｘｏ    標準位置
Ｆ１    設定支援ボード表示機能
Ｆ２    表示位置変更機能
Ｆ３    表示位置記憶機能
【図１】
2004155073.tif 000003
【図２】
2004155073.tif 000004
【図３】
2004155073.tif 000005
【図４】
2004155073.tif 000006
【図５】
2004155073.tif 000007
【図６】
2004155073.tif 000008